(57)【特許請求の範囲】
【請求項１】
第１のカメラと、
第１のディスプレイと、
上記第１のカメラによって撮影された画像に含まれる携帯端末側コードに基づいて、広告コンテンツと、上記第１のディスプレイに含まれる複数の表示領域のうちいずれかの表示領域を識別する領域情報とを取得する第１の復号部と、
上記第１のディスプレイの画面に含まれる複数の表示領域に、各表示領域を識別する領域情報を示す表示装置側コードをそれぞれ表示させるコード表示処理、及び上記第１の復号部によって取得された領域情報により指定される表示領域に、上記第１の復号部によって取得された広告コンテンツを表示させる広告表示処理を実行する第１の表示部とを有する電子広告表示装置、及び
第２のカメラと、
第２のディスプレイと、
上記第２のカメラによって撮影された画像に含まれる表示装置側コードに基づいて、上記領域情報を取得する第２の復号部と、
上記第２の復号部により取得された領域情報と、広告コンテンツとをまとめて携帯端末側コードに変換する符号化部と、
上記符号化部による変換処理で得られた携帯端末側コードを上記第２のディスプレイに表示させるコード表示処理を実行する第２の表示部とを有する携帯端末を備えた電子広告表示システム。  
【請求項２】
請求項１に記載の電子広告表示システムにおいて、
上記電子広告表示装置の第１の表示部のコード表示処理により表示される表示装置側コードは、上記領域情報に加えて表示可能タイミングをさらに示すものであり、
上記電子広告表示装置の第１の復号部は、上記第１のカメラによって撮影された画像に含まれる携帯端末側コードに基づいて、上記広告コンテンツ及び領域情報に加えて表示タイミングをさらに取得し、
上記電子広告表示装置の第１の表示部は、上記広告表示処理を、上記第１の復号部によって取得された表示タイミングに実行し、
上記携帯端末は、ユーザによって表示タイミングを指定する入力がなされる入力部をさらに有し、
上記携帯端末の第２の復号部は、上記第２のカメラによって撮影された画像に含まれる表示装置側コードに基づいて、上記領域情報に加えて表示可能タイミングをさらに取得し、
上記携帯端末の第２の表示部は、上記第２の復号部によって取得された表示可能タイミングを第２のディスプレイに表示させるタイミング表示処理をさらに実行し、
上記携帯端末の符号化部は、上記第２の復号部により取得された領域情報と、上記広告コンテンツとに加え、上記入力部へのユーザの入力により指定された表示タイミングをまとめて携帯端末側コードに変換することを特徴とする電子広告表示システム。
【請求項３】
請求項１に記載の電子広告表示システムにおいて、
上記電子広告表示装置の第１の表示部のコード表示処理によって表示される表示装置側コードは、上記領域情報に加えて表示タイミングをさらに示すものであり、
上記電子広告表示装置の第１の復号部は、上記第１のカメラによって撮影された画像に含まれる携帯端末側コードに基づいて、上記広告コンテンツ及び領域情報に加えて表示タイミングを取得し、
上記電子広告表示装置の第１の表示部は、上記広告表示処理を、上記第１の復号部によって取得された表示タイミングに実行し、
上記携帯端末の第２の復号部は、上記第２のカメラによって撮影された画像に含まれる表示装置側コードに基づいて、上記領域情報に加えて表示タイミングをさらに取得し、
上記携帯端末の符号化部は、上記第２の復号部により取得された領域情報と、上記広告コンテンツとに加え、上記第２の復号部により取得された表示タイミングをまとめて上記携帯端末側コードに変換することを特徴とする電子広告表示システム。
【請求項４】
請求項１に記載の電子広告表示システムにおいて、
上記電子広告表示装置の第１の復号部は、上記第１のカメラによって撮影された画像に含まれる携帯端末側コードに基づいて、広告コンテンツと複数の上記領域情報とを取得し、
上記電子広告表示装置の第１の表示部の広告表示処理は、上記第１の復号部によって取得された複数の領域情報により指定される複数の表示領域に跨がるように、上記第１の復号部によって取得された広告コンテンツを表示させるものであり、
上記携帯端末の第２の復号部は、上記第２のカメラによって撮影された画像に含まれる複数の表示装置側コードに基づいて、上記領域情報を複数取得し、
上記携帯端末の符号化部は、上記第２の復号部により取得された複数の領域情報と、広告コンテンツとをまとめて携帯端末側コードに変換することを特徴とする電子広告表示システム。
【請求項５】
請求項１〜４のいずれか１項に記載の電子広告表示システムにおいて、
上記携帯端末側コードは、ＩＥＥＥ標準規格に準拠したＣＳＫコードであることを特徴とする電子広告表示システム。
【請求項６】
カメラと、
ディスプレイと、
上記カメラによって撮影された画像に含まれる携帯端末側コードに基づいて、広告コンテンツと、上記ディスプレイに含まれる複数の表示領域のうちいずれかの表示領域を識別する領域情報とを取得する復号部と、
上記ディスプレイの画面に含まれる複数の表示領域に、各表示領域を識別する領域情報を示す表示装置側コードをそれぞれ表示させるコード表示処理、及び上記復号部によって取得された領域情報により指定される表示領域に、上記復号部によって取得された広告コンテンツを表示させる広告表示処理を実行する表示部とを有することを特徴とする電子広告表示装置。
【請求項７】
カメラと、
ディスプレイと、
上記カメラによって撮影された画像に含まれる表示装置側コードに基づいて、電子広告表示装置のディスプレイの表示領域のうちいずれかの表示領域を識別する領域情報を取得する復号部と、
上記復号部により取得された領域情報と、広告コンテンツとをまとめて携帯端末側コードに変換する符号化部と、
上記符号化部による変換処理により得られた携帯端末側コードを上記ディスプレイに表示させるコード表示処理を実行する表示部とを有することを特徴とする携帯端末。
【発明の詳細な説明】
【技術分野】
【０００１】
本発明は、電子広告表示システム、電子広告表示装置、及び携帯端末に関し、特に、電子広告表示装置のディスプレイの画面のうち、ユーザにより指定された表示領域に広告コンテンツを表示する技術に関する。
【背景技術】
【０００２】
特許文献１には、広告コンテンツをメールによってサーバへアップロードする広告主の携帯端末と、アップロードされた広告コンテンツを携帯各社に対応したファイル形式に変換して記憶するサーバと、ＱＲコード又はＵＲＬを用いてサイトへアクセスすることにより、上記サーバに記憶された広告コンテンツを表示する利用者の携帯端末とを備えた電子広告表示システムが開示されている。
【先行技術文献】
【特許文献】
【０００３】
【特許文献１】特開２００７−２７９７９１号公報
【発明の概要】
【発明が解決しようとする課題】
【０００４】
しかし、上記特許文献１のような電子広告表示システムでは、インターネット等のネットワーク環境を利用するため、システムが大規模化し、システムの構築費用及びメンテナンス費用が増大する。
【０００５】
本発明は、かかる点に鑑みてなされたものであり、電子広告表示システムの構築費用及びメンテナンス費用を削減することにある。
【課題を解決するための手段】
【０００６】
上記の目的を達成するため、本発明は、電子広告表示装置のカメラで携帯端末のディスプレイに表示されたコードを撮影することによって広告コンテンツを取得するようにしたことを特徴とする。
【０００７】
具体的には、第１の発明は、電子広告表示システムであって、第１のカメラと、第１のディスプレイと、上記第１のカメラによって撮影された画像に含まれる携帯端末側コードに基づいて、広告コンテンツと、上記第１のディスプレイに含まれる複数の表示領域のうちいずれかの表示領域を識別する領域情報とを取得する第１の復号部と、上記第１のディスプレイの画面に含まれる複数の表示領域に、各表示領域を識別する領域情報を示す表示装置側コードをそれぞれ表示させるコード表示処理、及び上記第１の復号部によって取得された領域情報により指定される表示領域に、上記第１の復号部によって取得された広告コンテンツを表示させる広告表示処理を実行する第１の表示部とを有する電子広告表示装置、及び第２のカメラと、第２のディスプレイと、上記第２のカメラによって撮影された画像に含まれる表示装置側コードに基づいて、上記領域情報を取得する第２の復号部と、上記第２の復号部により取得された領域情報と、広告コンテンツとをまとめて携帯端末側コードに変換する符号化部と、上記符号化部による変換処理で得られた携帯端末側コードを上記第２のディスプレイに表示させるコード表示処理を実行する第２の表示部とを有する携帯端末を備えたことを特徴とする。
【０００８】
これにより、携帯端末の第２のディスプレイに表示された携帯端末側コードを電子広告表示装置の第１のカメラで撮影するだけで、インターネット等のネットワーク環境を利用することなく、電子広告表示装置が広告コンテンツを携帯端末から取得して表示できる。また、電子広告表示装置の第１のディスプレイのいずれかの表示領域を携帯端末の第２のカメラにより撮影するだけで、インターネット等のネットワーク環境を利用することなく、広告コンテンツを表示したい表示領域を指定できる。したがって、システムの構築費用及びメンテナンス費用を削減できる。
【０００９】
第２の発明は、第１の発明の電子広告表示システムにおいて、上記電子広告表示装置の第１の表示部のコード表示処理により表示される表示装置側コードは、上記領域情報に加えて表示可能タイミングをさらに示すものであり、上記電子広告表示装置の第１の復号部は、上記第１のカメラによって撮影された画像に含まれる携帯端末側コードに基づいて、上記広告コンテンツ及び領域情報に加えて表示タイミングをさらに取得し、上記電子広告表示装置の第１の表示部は、上記広告表示処理を、上記第１の復号部によって取得された表示タイミングに実行し、上記携帯端末は、ユーザによって表示タイミングを指定する入力がなされる入力部をさらに有し、上記携帯端末の第２の復号部は、上記第２のカメラによって撮影された画像に含まれる表示装置側コードに基づいて、上記領域情報に加えて表示可能タイミングをさらに取得し、上記携帯端末の第２の表示部は、上記第２の復号部によって取得された表示可能タイミングを第２のディスプレイに表示させるタイミング表示処理をさらに実行し、上記携帯端末の符号化部は、上記第２の復号部により取得された領域情報と、上記広告コンテンツとに加え、上記入力部へのユーザの入力により指定された表示タイミングをまとめて携帯端末側コードに変換することを特徴とする。
【００１０】
これにより、電子広告表示装置に、携帯端末へのユーザの入力により指定された表示タイミングで広告コンテンツを表示させることができるので、利便性が向上する。
【００１１】
また、携帯端末の第２のディスプレイに表示された携帯端末側コードを電子広告表示装置の第１のカメラで撮影するだけで、インターネット等のネットワーク環境を利用することなく、電子広告表示装置がユーザの入力により指定された表示タイミングを取得できる。
【００１２】
第３の発明は、第１の発明の電子広告表示システムにおいて、上記電子広告表示装置の第１の表示部のコード表示処理によって表示される表示装置側コードは、上記領域情報に加えて表示タイミングをさらに示すものであり、上記電子広告表示装置の第１の復号部は、上記第１のカメラによって撮影された画像に含まれる携帯端末側コードに基づいて、上記広告コンテンツ及び領域情報に加えて表示タイミングを取得し、上記電子広告表示装置の第１の表示部は、上記広告表示処理を、上記第１の復号部によって取得された表示タイミングに実行し、上記携帯端末の第２の復号部は、上記第２のカメラによって撮影された画像に含まれる表示装置側コードに基づいて、上記領域情報に加えて表示タイミングをさらに取得し、上記携帯端末の符号化部は、上記第２の復号部により取得された領域情報と、上記広告コンテンツとに加え、上記第２の復号部により取得された表示タイミングをまとめて上記携帯端末側コードに変換することを特徴とする。
【００１３】
これにより、表示タイミングを指定するための入力を携帯端末に対して行うことなく、電子広告表示装置の第１のディスプレイの表示領域を携帯端末の第２のカメラにより撮影するだけで、広告コンテンツを表示する表示タイミングを指定できるので、利便性が向上する。
【００１４】
第４の発明は、第１の発明の電子広告表示システムにおいて、上記電子広告表示装置の第１の復号部は、上記第１のカメラによって撮影された画像に含まれる携帯端末側コードに基づいて、広告コンテンツと複数の上記領域情報とを取得し、上記電子広告表示装置の第１の表示部の広告表示処理は、上記第１の復号部によって取得された複数の領域情報により指定される複数の表示領域に跨がるように、上記第１の復号部によって取得された広告コンテンツを表示させるものであり、上記携帯端末の第２の復号部は、上記第２のカメラによって撮影された画像に含まれる複数の表示装置側コードに基づいて、上記領域情報を複数取得し、上記携帯端末の符号化部は、上記第２の復号部により取得された複数の領域情報と、広告コンテンツとをまとめて携帯端末側コードに変換することを特徴とする。
【００１５】
これにより、電子広告表示装置が複数の表示領域に跨がるように広告コンテンツを表示できるので、広告コンテンツの表示サイズを大きくできる。
【００１６】
第５の発明は、第１〜４の発明のいずれか１つの電子広告表示システムにおいて、上記携帯端末側コードは、ＩＥＥＥ標準規格に準拠したＣＳＫコードであることを特徴とする。
【００１７】
これにより、ＣＳＫコードは高い伝送速度を有するので、電子広告表示装置の第１のカメラで携帯端末側コードを撮影することにより、電子広告表示装置が高速に広告コンテンツ及び領域情報を取得できる。
【００１８】
第６の発明は、電子広告表示装置であって、カメラと、ディスプレイと、上記カメラによって撮影された画像に含まれる携帯端末側コードに基づいて、広告コンテンツと、上記ディスプレイに含まれる複数の表示領域のうちいずれかの表示領域を識別する領域情報とを取得する復号部と、上記ディスプレイの画面に含まれる複数の表示領域に、各表示領域を識別する領域情報を示す表示装置側コードをそれぞれ表示させるコード表示処理、及び上記復号部によって取得された領域情報により指定される表示領域に、上記復号部によって取得された広告コンテンツを表示させる広告表示処理を実行する表示部とを有することを特徴とする。
【００１９】
これにより、携帯端末のディスプレイに携帯端末側コードを表示させることにより、インターネット等のネットワーク環境を利用することなく、電子広告表示装置のカメラでの撮影による広告コンテンツの取得及び表示を可能にできる。また、電子広告表示装置のディスプレイのいずれかの表示領域を携帯端末のカメラに撮影させることにより、インターネット等のネットワーク環境を利用することなく、広告コンテンツを表示したい表示領域の指定を可能にできる。したがって、システムの構築費用及びメンテナンス費用を削減できる。
【００２０】
第７の発明は、携帯端末であって、カメラと、ディスプレイと、上記カメラによって撮影された画像に含まれる表示装置側コードに基づいて、電子広告表示装置のディスプレイの表示領域のうちいずれかの表示領域を識別する領域情報を取得する復号部と、上記復号部により取得された領域情報と、広告コンテンツとをまとめて携帯端末側コードに変換する符号化部と、上記符号化部による変換処理により得られた携帯端末側コードを上記ディスプレイに表示させるコード表示処理を実行する表示部とを有することを特徴とする。
【００２１】
これにより、携帯端末のディスプレイに表示された携帯端末側コードを電子広告表示装置のカメラに撮影させることにより、インターネット等のネットワーク環境を利用することなく、電子広告表示装置による携帯端末からの広告コンテンツの取得を可能にできる。また、電子広告表示装置のディスプレイの各表示領域に表示装置側コードを表示させた状態で、いずれかの表示領域を携帯端末のカメラにより撮影することにより、インターネット等のネットワーク環境を利用することなく、広告コンテンツを表示したい表示領域の指定を可能にできる。したがって、システムの構築費用及びメンテナンス費用を削減できる。
【発明の効果】
【００２２】
本発明によると、電子広告表示システムの構築費用及びメンテナンス費用を削減できる。
【図面の簡単な説明】
【００２３】
【図１】本発明の実施形態１に係る電子広告表示システムの構成を示す外観図である。
【図２】本発明の実施形態１に係る電子広告表示システムの構成を示す機能ブロック図である。
【図３】電子広告表示装置がＣＳＫコードを表示する手順を示すフローチャートである。
【図４】スマートフォンがＣＳＫコードを表示する手順を示すフローチャートである。
【図５】電子広告表示装置が広告コンテンツを表示する手順を示すフローチャートである。
【図６】ステップ１０２において電子広告表示装置のディスプレイに表示される画面を示す図である。
【図７】ステップ２０３においてスマートフォンのディスプレイに表示される画面を示す図である。
【図８】ステップ２０６においてスマートフォンのディスプレイに表示される画面を示す図である。
【図９】ステップ３０４において電子広告表示装置のディスプレイに表示される画面を示す図である。
【図１０】実施形態２のステップ１０２において電子広告表示装置のディスプレイに表示される画面の遷移を示す説明図である。
【図１１】実施形態３の図６相当図である。
【図１２】実施形態３の図９相当図である。
【発明を実施するための形態】
【００２４】
図１は、本発明の実施形態１に係る電子広告表示システム１の構成を示す外観図である。この電子広告表示システム１は、同図に示すように、カメラ１１及びディスプレイ１２を備えた電子広告表示装置１０と、カメラ２１及びディスプレイ２２を備えた携帯端末としてのスマートフォン２０とを備えている。スマートフォン２０のディスプレイ２２は、タッチパネルであり、入力部としての機能も有している。
【００２５】
上記電子広告表示装置１０は、例えばＬＦＤ（Large Format Display）端末で構成され、図２に示すように、上記カメラ１１及びディスプレイ１２に加え、記憶部１３と、符号化部１４と、復号部１５と、表示部１６とを備えている。
【００２６】
記憶部１３は、装置ＩＤ（identification）、領域情報としての領域ＩＤ、表示可能タイミング、及び費用と、上記カメラ１１によって撮影された画像と、広告コンテンツ及びそれに付随する情報と、上記符号化部１４による変換処理（後述）で得られたＣＳＫコード３０等を記憶する。装置ＩＤは、電子広告表示装置１０を識別する情報であり、領域ＩＤは、ディスプレイ１２の画面に含まれる複数の表示領域１２ａを識別する情報である。本実施形態では、ディスプレイ１２の画面が縦４行横４列の計１６個の表示領域１２ａに分割され、各表示領域１２ａを識別する１６個の領域ＩＤが記憶される。表示可能タイミングは、例えば、表示可能な日時を示す情報であり、費用は、１つの表示領域１２ａに広告コンテンツを所定の単位時間表示するのにかかる費用である。
【００２７】
記憶部１３は、具体的には、例えば、クラウドコンピューティング、フラッシュメモリ等の内蔵メモリ、外付けメモリ等で実現できる。
【００２８】
符号化部１４は、記憶部１３に記憶された装置ＩＤ、領域ＩＤ、表示可能タイミング、及び費用を、表示装置側コードとしてのＣＳＫ(Color Shift Keying)コード３０に変換し、記憶部１３に格納する。ＣＳＫコードとは、ＩＥＥＥ標準規格に準拠したコードであり、色座標を用いた可視光通信用変調方式によって生成されるものである。
【００２９】
復号部１５は、上記カメラ１１によって撮影された画像を記憶部１３から読み出し、当該画像に含まれるＣＳＫコード４０（後述）に基づいて、表示タイミング、広告コンテンツ、装置ＩＤ、及び領域ＩＤを取得して記憶部１３に格納する。
【００３０】
表示部１６は、符号化部１４による変換処理で得られたＣＳＫコード３０をディスプレイ１２の各表示領域１２ａに表示させるコード表示処理、及び復号部１５により取得されて記憶部１３に記憶された広告コンテンツをディスプレイ１２に表示させる広告表示処理を実行する。
【００３１】
上記符号化部１４、復号部１５、及び表示部１６の機能は、具体的には例えばＣＰＵ（Central Processing Unit）及びメモリによって実現される。
【００３２】
上記スマートフォン２０は、上記カメラ２１及びディスプレイ２２に加え、記憶部２３と、復号部２４と、符号化部２５と、表示部２６とを備えている。
【００３３】
記憶部２３は、広告コンテンツと、上記カメラ２１によって撮影された画像と、ユーザのディスプレイ２２への入力により指定された表示タイミングと、後述する復号部２４により取得される各種情報と、上記符号化部２５による変換処理（後述）で得られるＣＳＫコード４０等を記憶する。上記広告コンテンツは、動画、静止画、ＨＴＭＬ（HyperText Markup Language）コンテンツ、又はテキスト等である。また、広告コンテンツは、動画、静止画、ＨＴＭＬコンテンツ、又はテキスト等に加え、音声を含むものであってもよい。
【００３４】
記憶部２３は、具体的には、例えば、クラウドコンピューティング、フラッシュメモリ等の内蔵メモリ、ＳＤメモリーカード等で実現できる。
【００３５】
復号部２４は、上記カメラ２１によって撮影された画像に含まれるＣＳＫコード３０に基づいて、上記装置ＩＤ、領域ＩＤ、表示可能タイミング、及び費用を取得し、記憶部２３に格納する。
【００３６】
符号化部２５は、広告コンテンツと、ユーザの入力により指定された表示タイミングと、復号部２４により取得された装置ＩＤ及び領域ＩＤとを記憶部２３から読み出し、まとめて携帯端末側コードとしてのＣＳＫコード４０に変換し、記憶部２３に格納する。
【００３７】
表示部２６は、復号部２４により取得された表示可能タイミング、及び費用を記憶部２３から読み出し、ディスプレイ２２に表示させるタイミング表示処理と、符号化部２５による変換処理で得られたＣＳＫコード４０を記憶部２３から読み出し、ディスプレイ２２に表示させるコード表示処理とを実行する。
【００３８】
上記復号部２４、符号化部２５、及び表示部２６の機能は、具体的には例えば、スマートフォン２０にアプリケーションをインストールすることにより実現され、ＣＰＵ（Central Processing Unit）及びメモリによって実現される。
【００３９】
次に、図３〜５を参照して、本発明の実施形態１に係る電子広告表示システム１の動作を説明する。
【００４０】
まず、電子広告表示装置１０側で、図３に示す手順が実行される。
【００４１】
ステップ１０１において、電子広告表示装置１０の符号化部１４が、上記記憶部１３に記憶された装置ＩＤ、領域ＩＤ、表示可能タイミング、及び費用を、ＣＳＫコード３０に変換し、記憶部１３に格納する。
【００４２】
ステップ１０２において、電子広告表示装置１０の表示部１６が、図６に示すように、ステップ１０１で符号化部１４による変換処理で得られたＣＳＫコード３０を記憶部１３から読み出し、上記ディスプレイ１２の１６個の表示領域１２ａにそれぞれ表示させるコード表示処理を実行する。
【００４３】
次に、スマートフォン２０側で、図４に示す手順が実行される。
【００４４】
ステップ２０１において、ユーザがスマートフォン２０のカメラ２１を電子広告表示装置１０のディスプレイ１２に向け、いずれかの表示領域１２ａをカメラ２１で撮影する。例えば、図６において太線で囲まれた表示領域１２ａを撮影する。これにより、上記ステップ１０２によって当該表示領域１２ａに表示されたＣＳＫコード３０を含む画像が撮影され、記憶部２３に格納される。なお、ここでカメラ２１により撮影されるＣＳＫコード３０を含む画像は、静止画であってもよいし、動画であってもよい。
【００４５】
ステップ２０２において、スマートフォン２０の復号部２４が、上記ステップ２０１でカメラ２１によって撮影された画像を記憶部２３から読み出し、当該画像に含まれるＣＳＫコード３０に基づいて、上記装置ＩＤ、領域ＩＤ、表示可能タイミング、及び費用を取得し、記憶部２３に格納する。
【００４６】
ステップ２０３において、スマートフォン２０の表示部２６が、例えば図７に示すように、上記ステップ２０２で復号部２４により取得された表示可能タイミング、及び費用を記憶部２３から読み出してディスプレイ２２に表示させるタイミング表示処理を実行する。
【００４７】
ステップ２０４において、スマートフォン２０のディスプレイ２２（入力部）に、上記ステップ２０３で表示された表示可能タイミングのうちいずれかの表示タイミングを指定する入力がユーザによってなされ、当該入力により指定された表示タイミングが記憶部２３に格納される。図７の例では、ユーザは、表示する日を選択し、コード生成ボタンをクリックすることで、表示する日を指定できる。
【００４８】
ステップ２０５において、スマートフォン２０の符号化部２５が、広告コンテンツと、上記ステップ２０４でユーザの入力により指定された表示タイミングと、上記ステップ２０２で復号部２４により取得された装置ＩＤ及び領域ＩＤとを記憶部２３から読み出し、まとめてＣＳＫコード４０に変換し、記憶部２３に格納する。
【００４９】
ステップ２０６において、スマートフォン２０の表示部２６が、上記ステップ２０５で得られたＣＳＫコード４０を記憶部２３から読み出し、ディスプレイ２２に表示させるコード表示処理を実行する。ディスプレイ２２には、例えば図８に示す画像が表示される。
【００５０】
次に、電子広告表示装置１０側で、図５に示す手順が実行される。
【００５１】
ステップ３０１において、ユーザがスマートフォン２０のディスプレイ２２を電子広告表示装置１０のカメラ１１にかざし、スマートフォン２０のディスプレイ２２の画面をカメラ１１に撮影させる。これにより、上記ステップ２０６でスマートフォン２０のディスプレイ２２に表示された画像、すなわちＣＳＫコード４０を含む画像が撮影され、記憶部１３に格納される。なお、ここでカメラ１１により撮影されるＣＳＫコード４０を含む画像は、静止画であってもよいし、動画であってもよい。
【００５２】
ステップ３０２において、電子広告表示装置１０の復号部１５が、上記ステップ３０１でカメラ１１によって撮影された画像を記憶部１３から読み出し、当該画像に含まれるＣＳＫコード４０に基づいて、表示タイミング、広告コンテンツ、装置ＩＤ、及び領域ＩＤを取得し、記憶部１３に格納する。
【００５３】
ステップ３０３において、電子広告表示装置１０の表示部１６が、上記ステップ３０２で復号部１５によって得られた装置ＩＤを記憶部１３から読み出し、当該電子広告表示装置１０の装置ＩＤを示しているか否かを判定する。ステップ３０２で復号部によって得られた装置ＩＤが、当該電子広告表示装置１０の装置ＩＤを示している場合には、ステップ３０４に進む一方、示していない場合には、処理を終了する。なお、処理を終了する場合には、所定のエラー表示をディスプレイ１２に表示させるようにしてもよい。
【００５４】
ステップ３０４において、電子広告表示装置１０の表示部１６が、上記ステップ３０２で復号部１５によって取得された表示タイミング、広告コンテンツ、及び領域ＩＤを記憶部１３から読み出す。そして、例えば図９に示すように、ディスプレイ１２における読み出した領域ＩＤにより指定される表示領域１２ａに読み出した広告コンテンツを表示させる広告表示処理を、読み出した表示タイミングに実行する。
【００５５】
したがって、本実施形態１によると、スマートフォン２０のディスプレイ２２に表示されたＣＳＫコード４０を電子広告表示装置１０のカメラ１１で撮影するだけで、インターネット等のネットワーク環境を利用することなく、電子広告表示装置１０が広告コンテンツをスマートフォン２０から取得して表示できる。また、電子広告表示装置１０のディスプレイ１２のいずれかの表示領域１２ａをスマートフォン２０のカメラ２１により撮影するだけで、インターネット等のネットワーク環境を利用することなく、広告コンテンツを表示したい表示領域１２ａを指定できる。したがって、システムの構築費用及びメンテナンス費用を削減できる。
【００５６】
また、電子広告表示装置１０に、スマートフォン２０へのユーザの入力により指定された表示タイミングで広告コンテンツを表示させることができるので、利便性が向上する。
【００５７】
また、スマートフォン２０のディスプレイ２２に表示されたＣＳＫコード４０を電子広告表示装置１０のカメラ１１で撮影するだけで、インターネット等のネットワーク環境を利用することなく、電子広告表示装置１０がユーザの入力により指定された表示タイミングを取得できる。
【００５８】
また、ＣＳＫコード４０は高い伝送速度を有するので、電子広告表示装置１０のカメラ１１でＣＳＫコード４０を撮影することにより、電子広告表示装置１０が高速に広告コンテンツ及び領域ＩＤを取得できる。
【００５９】
（実施形態２）
本発明の実施形態２に係る電子広告表示システム１では、上記ステップ１０２においてディスプレイ１２に表示される画面、すなわち１６個のＣＳＫコード３０を表示する表示画面が、５秒毎に切り換えられる。つまり、図１０に示すように、表示開始から５秒間は、画面１２１を表示し、次の５秒間には、画面１２２を表示し、さらに次の５秒間には、画面１２３を表示し、最後の５秒間には、画面１２４を表示する。また、各画面１２１〜１２４に表示される１６個のＣＳＫコード３０は、装置ＩＤ及び領域ＩＤを示すものである点では実施形態１と同じであるが、表示可能タイミングに代えて、表示タイミングを示すものである。例えば、画面１２１に表示される１６個のＣＳＫコード３０は、表示タイミングＴ１、画面１２２に表示される１６個のＣＳＫコード３０は、Ｔ１から５秒後の表示タイミングＴ２、画面１２３に表示される１６個のＣＳＫコード３０は、Ｔ２から５秒後の表示タイミングＴ３、画面１２４に表示される１６個のＣＳＫコード３０は、Ｔ３から５秒後の表示タイミングＴ４を示すよう設定される。
【００６０】
詳しくは、ステップ１０１において、電子広告表示装置１０の符号化部１４が、上記記憶部１３に記憶された装置ＩＤ、領域ＩＤ、表示タイミング、及び費用をＣＳＫコード３０に変換することにより、画面１２１〜１２４の４画面分のＣＳＫコード３０を取得する。
【００６１】
そして、ステップ１０２において、電子広告表示装置１０の表示部１６が、図１０に示すように、上記ディスプレイ１２の１６個の表示領域１２ａにそれぞれステップ１０１で符号化部１４による変換処理で得られたＣＳＫコード３０を表示させるコード表示処理を、画面１２１〜１２４の４画面について実行する。
【００６２】
また、ステップ２０２においては、スマートフォン２０の復号部２４が、上記ステップ２０１でカメラ２１によって撮影された画像に含まれるＣＳＫコード３０に基づいて、装置ＩＤ、領域ＩＤ、表示タイミング、及び費用を取得する。
【００６３】
そして、ステップ２０５において、スマートフォン２０の符号化部２５が、広告コンテンツと、上記ステップ２０２で復号部２４により取得された装置ＩＤ、領域ＩＤ、及び表示タイミングとをまとめてＣＳＫコード４０に変換する。
【００６４】
本実施形態２では、スマートフォン２０は、ステップ２０３及びステップ２０４を実行しない。
【００６５】
その他の構成及び動作は、実施形態１と同じであるので、その詳細な説明を省略する。
【００６６】
したがって、本実施形態２によると、表示タイミングを指定するための入力をスマートフォン２０に対して行うことなく、電子広告表示装置１０のディスプレイ１２の表示領域１２ａをスマートフォン２０のカメラ２１により撮影するだけで、広告コンテンツを表示する表示タイミングを指定できるので、利便性が向上する。
【００６７】
なお、本実施形態２では、ディスプレイ１２に表示される４枚の画面１２１〜１２４を５秒毎に切り換えたが、切り換える画面の枚数は４枚に限られないし、画面を切り換える間隔も５秒に限られない。また、表示タイミングＴ１〜Ｔ４の間隔も５秒に限られない。
【００６８】
（実施形態３）
本発明の実施形態３に係る電子広告表示システム１では、電子広告表示装置１０のディスプレイ１２の複数の表示領域１２ａをカメラ２１で撮影することにより、複数の表示領域１２ａに跨がるように広告コンテンツを表示できる。例えば、図１１において太線で囲まれた領域１２ｂ、すなわち４つの表示領域１２ａを含む領域を撮影することにより、図１２に示すように、４つの表示領域１２ａに跨がるように広告コンテンツを表示できる。
【００６９】
詳しくは、上記ステップ２０１でカメラ２１によって撮影された画像が複数のＣＳＫコード３０を含む場合には、上記ステップ２０２において、スマートフォン２０の復号部２４が、当該複数のＣＳＫコード３０に基づいて、上記領域ＩＤ、表示可能タイミング、及び費用をそれぞれ複数取得する。装置ＩＤは共通しているはずなので、複数取得して１つだけ記憶部２３に格納するようにしてもよいし、いずれか１つのＣＳＫコード３０から取得するようにしてもよい。
【００７０】
ステップ２０３においては、スマートフォン２０の表示部２６が、複数取得された表示可能タイミングのうち、共通の表示可能タイミングと、複数取得された費用の合計をディスプレイ２２に表示させる。
【００７１】
そして、ステップ２０５において、スマートフォン２０の符号化部２５が、広告コンテンツと、表示タイミングと、ステップ２０２で復号部２４により取得された装置ＩＤ及び複数の領域ＩＤとをまとめてＣＳＫコード４０に変換する。
【００７２】
また、ステップ３０２において、電子広告表示装置１０の復号部１５が、上記ステップ３０１でカメラ１１によって撮影された画像に含まれるＣＳＫコード４０に基づいて、表示タイミング、広告コンテンツ、装置ＩＤ、及び複数の領域ＩＤを取得する。
【００７３】
そして、ステップ３０４において、電子広告表示装置１０の表示部１６が、ステップ３０２において復号部１５によって取得された複数の領域ＩＤにより指定される複数の表示領域１２ａに跨がるようにディスプレイ１２に広告コンテンツを表示させる。
【００７４】
その他の構成及び動作は、実施形態１と同じであるので、その詳細な説明を省略する。
【００７５】
したがって、本実施形態３によると、電子広告表示装置１０が複数の表示領域１２ａに跨がるように広告コンテンツを表示できるので、広告コンテンツの表示サイズを大きくできる。
【００７６】
なお、本実施形態３は、上記実施形態２にも組み合わせることができる。
【００７７】
なお、上記実施形態１〜３では、携帯端末側コード及び表示装置側コードとして、ＣＳＫコードを用いたが、ＣＳＫコードを改良したコードや、ＱＲコード（登録商標）等、他のコードを用いてもよい。
【産業上の利用可能性】
【００７８】
本発明にかかる電子広告表示システム、電子広告表示装置、及び携帯端末は、システムの構築費用及びメンテナンス費用の削減に有用である。
【符号の説明】
【００７９】
１      電子広告表示システム 
１０      電子広告表示装置 
１１      カメラ（第１のカメラ） 
１２      ディスプレイ（第１のディスプレイ） 
１２ａ    表示領域 
１５      復号部（第１の復号部） 
１６      表示部（第１の表示部） 
２０      スマートフォン（携帯端末） 
２１      カメラ（第２のカメラ） 
２２      ディスプレイ（第２のディスプレイ、入力部） 
２４      復号部（第２の復号部） 
２５      符号化部 
２６      表示部（第２の表示部） 
３０      ＣＳＫコード（表示装置側コード） 
４０      ＣＳＫコード（携帯端末側コード） 
【図１】
0006420132.tif 000002
【図２】
0006420132.tif 000003
【図３】
0006420132.tif 000004
【図４】
0006420132.tif 000005
【図５】
0006420132.tif 000006
【図６】
0006420132.tif 000007
【図７】
0006420132.tif 000008
【図８】
0006420132.tif 000009
【図９】
0006420132.tif 000010
【図１０】
0006420132.tif 000011
【図１１】
0006420132.tif 000012
【図１２】
0006420132.tif 000013